(57)【要約】【課題】設置スペースの拡大を抑えて複数の雨水貯留浸透施設を簡易に連結可能な点検部材及び雨水貯留浸透施設を提供する。【解決手段】地中に埋設されて道路の表面から流下した雨水を前記地中に浸透させる雨水貯留浸透槽を備えた雨水貯留浸透施設に用いられ、前記雨水貯留浸透槽に接続されることによって地上付近から前記雨水貯留浸透槽の内部を点検可能とする点検部材であって、縦管２２３と、縦管２２３の下端に接続されると共に複数の固定受口２２４ｂを有する分岐継手２２４と、を備え、固定受口２２４ｂは封止可能に設けられていることを特徴とする。【選択図】図１
2014198952.tif 000002
【特許請求の範囲】
【請求項１】
地中に埋設されて道路の表面から流下した雨水を前記地中に浸透させる雨水貯留浸透槽を備えた雨水貯留浸透施設に用いられ、前記雨水貯留浸透槽に接続されることによって地上付近から前記雨水貯留浸透槽の内部を点検可能とする点検部材であって、
縦管と、
前記縦管の下端に接続されると共に複数の受口を有する分岐継手と、を備え、
前記受口は封止可能に設けられていることを特徴とする点検部材。
【請求項２】
請求項１に記載の点検部材を備えていることを特徴とする雨水貯留浸透施設。
【請求項３】
前記分岐継手の受口は、自在継手を介して前記雨水貯留浸透槽と接続されていることを特徴とする請求項２に記載の雨水貯留浸透施設。
【請求項４】
前記分岐継手の受口と前記雨水貯留浸透槽との間に横管が接続されていることを特徴とする請求項２又は３に記載の雨水貯留浸透施設。
【請求項５】
複数の前記分岐継手の受口のうち前記雨水貯留浸透槽に接続されていない別の受口は、下水道に連絡する排水管に接続されていることを特徴とする請求項２〜４のうち何れか一項に記載の雨水貯留浸透施設。
【請求項６】
前記雨水貯留浸透槽を構成する枠部材がプラスチックからなることを特徴とする請求項２〜５のうち何れか一項に記載の雨水貯留浸透施設。
【請求項７】
複数の前記雨水貯留浸透槽がそれぞれ前記点検部材を介して連結されていることを特徴とする請求項２〜６のうち何れか一項に記載の雨水貯留浸透施設。
【発明の詳細な説明】
【技術分野】
【０００１】
本発明は、点検部材及び雨水貯留浸透施設に関する。
【背景技術】
【０００２】
一般に、道路の路肩下方には、雨水を一時的に貯留した後、外部に放出して地中に緩やかに浸透させるための雨水貯留浸透施設が埋設されている。
【０００３】
上記雨水貯留浸透施設の例として、特許文献１には、雨水等を貯留する貯留部内に縦横且つ上下に連設して充填する充填部材であって、該充填部材は平面視略正方形の板状で、四隅には該充填部材を上下方向に積み重ねる連結部と、該連結部に固定され、前記貯留部に流入した雨水等を所定方向に誘導する傾斜板部とを備え、該傾斜板部上面は平坦とされると共に、下面には補強部を形成した充填部材を備えた雨水貯留浸透施設が開示されている。この雨水貯留浸透施設によれば、雨水中に含まれる土砂の除去を目的として、水流を利用して土砂を集め、集めた土砂を、充填部材の幅方向両側に配置された点検孔（特許文献１の図３における角型マンホール１５，１６）にバキューム管や洗浄水を噴射する管を通すことよって除去することができる。従って、雨水に含まれる土砂が内部に堆積することによる雨水貯留浸透施設の貯留容量の減少、或いは、目詰まりによる雨水貯留浸透施設の浸透能力の低下を抑制することができる。
【先行技術文献】
【特許文献】
【０００４】
【特許文献１】特許第３６６０９１７号公報
【発明の概要】
【発明が解決しようとする課題】
【０００５】
しかしながら、特許文献１に開示されている雨水貯留浸透施設では、道路に沿って複数の雨水貯留浸透施設が設置される際に、隣接して設置される雨水貯留浸透施設の点検孔が二つ並んで配置されることで設置スペースが拡大される問題があった。また、雨水貯留浸透施設の設置スペースの拡大を抑えるために、隣接して設置される雨水貯留浸透施設のうち一方の雨水貯留浸透施設の点検孔を両側の雨水貯留浸透施設に接続して兼用しようとすると、点検孔を構成する管材等の点検部材に穴を開けて管材を挿入し、コンクリートや充填材等により間詰めする必要があり、設置工事に非常に多くの手間と時間がかかる問題があった。
【０００６】
本発明は、上記事情を鑑みてなされたものであり、設置スペースの拡大を抑えて複数の雨水貯留浸透施設を簡易に連結可能な点検部材及び雨水貯留浸透施設の提供を課題とする。
【課題を解決するための手段】
【０００７】
本発明の点検部材は、地中に埋設されて道路の表面から流下した雨水を前記地中に浸透させる雨水貯留浸透槽を備えた雨水貯留浸透施設に用いられ、前記雨水貯留浸透槽に接続されることによって地上付近から前記雨水貯留浸透槽の内部を点検可能とする点検部材であって、縦管と、前記縦管の下端に接続されると共に複数の受口を有する分岐継手と、を備え、前記受口は封止可能に設けられていることを特徴とする。
【０００８】
本発明の雨水貯留浸透施設は、上記点検部材を備えていることを特徴とする。
また、本発明の雨水貯留浸透施設では、前記分岐継手の受口は、自在継手を介して前記雨水貯留浸透槽と接続されていてもよい。
また、本発明の雨水貯留浸透施設では、前記分岐継手の受口と前記雨水貯留浸透槽との間に横管が接続されていてもよい。
また、本発明の雨水貯留浸透施設では、複数の前記分岐継手の受口のうち前記雨水貯留浸透槽に接続されていない別の受口は、下水道に連絡する排水管に接続されていてもよい。
また、本発明の雨水貯留浸透施設では、前記雨水貯留浸透槽を構成する枠部材がプラスチックからなることが好ましい。
更に、本発明の雨水貯留浸透施設では、複数の前記雨水貯留浸透槽がそれぞれ前記点検部材を介して連結されていてもよい。
【発明の効果】
【０００９】
本発明によれば、設置スペースの拡大を抑えて複数の雨水貯留浸透施設を簡易に連結可能な点検部材及び雨水貯留浸透施設が提供される。
【図面の簡単な説明】
【００１０】
【図１】本発明の第一実施形態である雨水貯留浸透施設を示す図であって、（a）は正面図であり、（ｂ）は平面図である。
【図２】本発明の第二実施形態である雨水貯留浸透施設を示す図であって、（a）は正面図であり、（ｂ）は平面図である。
【図３】本発明の第三実施形態である雨水貯留浸透施設を示す図であって、（a）は正面図であり、（ｂ）は平面図である。
【発明を実施するための形態】
【００１１】
以下、本発明の実施形態である点検部材及び雨水貯留浸透施設について、図面を参照して説明する。なお、以下の説明で用いる図面は模式的なものであり、長さ、幅、及び厚みの比率等は実際のものと同一とは限らず、適宜変更することができる。
【００１２】
（第一実施形態）
図１は、本発明の第一実施形態である雨水貯留浸透施設２０１を示す図であって、（a）は正面図であり、（ｂ）は平面図である。
図１に示すように、雨水貯留浸透施設２０１は、少なくとも本実施形態の点検部材２２６を備え、更に複数の流入マス２と、複数の雨水貯留浸透槽６と、を備えている。
【００１３】
流入マス２は、道路に設けられた街渠Ｇから流下した雨水を収集するための部材であり、図１（ａ），（ｂ）に示すように、街渠Ｇ下方の地中に埋設されている複数の雨水貯留浸透槽６のそれぞれが延在する方向に設けられている。また、流入マス２は、各々の雨水貯留浸透槽６の幅寸法内に設けられていることが好ましい。
【００１４】
本実施形態の雨水貯留浸透施設２２６における流入マス２は、各々の雨水貯留浸透槽６の延在する方向に配列された第一流入マス１４と、第二流入マス１５によって構成されている。第一流入マス１４は、蓋１６ｂと、フィルタ１７と、雨水収容部１８と、フィルタ１９と、を備えている。蓋１６ａは、開孔している部分がないか、少なくなっており街渠Ｇに集められた雨水は蓋１６ａ上部を流れる。蓋１６ｂは、平面視で網状に形成されており、街渠Ｇに集められた雨水を流入マス内に流下可能とされている。フィルタ１７は、流下した雨水を濾過して該雨水中からゴミや塵を取り除くためのものであり、例えばプラスチック製や、ステンレス製のザルで構成されている。雨水収容部１８は、街渠Ｇから蓋１６ｂ及びフィルタ１７を通って流下した雨水を一時的に滞留させ土砂等を大まかに沈降、分離するためのものであり、例えばコンクリート等からなるマスで構成されている。フィルタ１９は、雨水収容部１８の雨水からより細かいゴミや塵を取り除くためのものであり、第一流入マス１４と第二流入マス１５との連結管２０の第一流入マス１４側に設けられている。フィルタ１９は、例えばフィルタ１７よりも小さい多数の通水孔を有するステンレス製の網で構成されている。
【００１５】
第二流入マス１５は、連結管２０によって第一流入マス１４に連結されており、第一流入マス１４から流入した雨水を一時的に貯留して雨水貯留浸透槽６の上部に供給するためのものであり、蓋１６ｂ及びフィルタ１７を除く第一流入マス１４の構成要素と同一の構成要素を備えている。
【００１６】
第二流入マス１５と雨水貯留浸透槽６は、流入管１０によって連結されている。具体的には、流入管１０の一端が第二流入マス１５の底部に接続されており、流入管１０の他端が雨水貯留浸透槽６の上面６ａに設けられた受口１１に接続されている。これにより、雨水貯留浸透槽６の上部に貯留した空気が、流入管１０を通して、第二流入マス１５若しくは第一流入マス１４から地上に抜き出される。また、図１（ａ）に示すように、流入管１０は第二流入マス１５側から雨水貯留浸透槽６側に進行するにつれて街渠Ｇから離れる方向に下降して設けられている。これにより、第二流入マス１５に一時的に貯留された雨水が円滑に雨水貯留浸透槽６に供給される。なお、図１（ｂ）では、流入管１０及び受口１１の図示は省略する。
【００１７】
雨水貯留浸透槽６は、流入マス２から流入した雨水を、上段から下段へ流下させながら一時的に貯留すると共に、下段から地中に放出するためのものであり、例えば射出成形や、押出成形によって形成されるポリプロピレン等のプラスチックからなる枠部材で構成されている。具体的には、雨水貯留浸透槽６は、下方へ雨水を流下可能なプラスチック製の下部組付部材２１（枠部材）及び上部組付部材２２（枠部材）によって構成され、下部組付部材２１が複数隣接配置された上方に、鉛直方向に上部組付部材２２が複数段積載されることで、地中に複数の内部空間からなる雨水の一時的な貯留空間を形成している。雨水貯留浸透槽６の下方、即ち下部組付部材２１の直下には、砕石層２４が設けられており、雨水貯留浸透槽６から放出された雨水が雨水貯留浸透槽６外方の地中へ徐々に浸透するようになっている。
【００１８】
点検部材２２６は、雨水貯留浸透槽６の内部を点検するためのものであり、地上付近から雨水貯留浸透槽６の側面６ｂ，６ｃに達するように、雨水貯留浸透槽６の延在するＤ方向に設けられている。具体的には、点検部材２２６は、地上付近から地中に下降する縦管２２３と、縦管２２３の下端の点検口２２４ａに接続されると共に複数の固定受口２２４ｂ（受口）を有する分岐継手２２４と、を備えている。また、点検部材２２６は、第二流入マス１５と平面視で重なって配置されており、具体的には縦管２２３の上部が第二流入マス１５の内部に設けられている。
【００１９】
複数の固定受口２２４ｂの少なくとも一つは、横管２２５を介して、その固定受口２２４ｂから最も近い雨水貯留浸透槽６の側面６ｂ又は側面６ｃに接続されている。横管２２５の雨水貯留浸透槽６側の端部には継手軸２３０Ａが設けられている。また、横管２２５と接続される雨水貯留浸透槽６の側面６ｂ，６ｃの下部には、継手軸２３０Ａと嵌合可能な自在受口２３０Ｂが設けられている。即ち、複数の固定受口２２４ｂの少なくとも一つは、継手軸２３０Ａと自在受口２３０Ｂからなる自在継手２３０を介して雨水貯留浸透槽６と接続されている。これにより、自在継手２３０を介して点検部材２２６の固定受口２２４ｂに接続された雨水貯留浸透槽６の延在する方向は、その自在継手２３０の継手軸２３０Ａを有する横管２２５の軸線に対して自在に変更され得る。
【００２０】
分岐継手２２４の複数の固定受口２２４ｂは、封止可能とされており、横管２２５と未接続状態であるときにはキャップ２４０により封止されている。従って、点検部材２２６の内部への埋め戻し土、ゴミ等の侵入が防がれる。また、分岐継手２２４の複数の固定受口２２４ｂのうち、横管２２５を介して雨水貯留浸透槽６に接続されていない固定受口２２４ｂは、例えば下水道に連絡する排水管（図示略）に接続されている。これにより、雨水貯留浸透槽６の下部に堆積した土砂等が前記排水管に排出される。なお、点検部材２２６への地上からのゴミ等の侵入を防ぐために、点検時以外は点検部材２２６の縦管２２３の上端は蓋２２８によって封止されている。
【００２１】
縦管２２３と分岐継手２２４と横管２２５は、例えば塩化ビニル等の合成樹脂からなる管材で構成されている。
【００２２】
以上説明したように、本実施形態の点検部材２２６及び雨水貯留浸透施設２０１によれば、点検部材２２６が縦管２２３と、縦管２２３の下端に接続されると共に複数の固定受口２２４ｂを有する分岐継手２２４と、を備えているため、点検部材２２６及び雨水貯留浸透施設２０１の設置時に予め、一つの点検部材２２６に複数の固定受口２２４ｂを準備することができる。また、固定受口２２４ｂはキャップ２４０により封止可能に設けられているため、固定受口２２４ｂに雨水貯留浸透槽６を接続しようとする際に、キャップ２４０を外して固定受口２２４ｂの封止を解除するのみで、点検部材２２６に穴を開ける等の追加工事や、コンクリートや充填材等により間詰めを行う必要なく、簡易に複数の雨水貯留浸透槽６を連結することができる。更に、一つの点検部材２２６の縦管２２３を複数の雨水貯留浸透槽６で兼用するため、雨水貯留浸透施設２０１の設置スペースの拡大を抑えることができる。
【００２３】
また、本実施形態の点検部材２２６及び雨水貯留浸透施設２０１によれば、点検部材２２６の分岐継手２２４の固定受口２２４ｂは、継手軸２３０Ａと自在受口２３０Ｂからなる自在継手２３０を介して雨水貯留浸透槽６と接続されており、分岐継手２２４の固定受口２２４ｂと雨水貯留浸透槽６との間に横管２２５が接続されている。そのため、その自在継手２３０の継手軸２３０Ａを有する横管２２５の軸線に対して雨水貯留浸透槽６の延在する方向を自在に変更することができる。
また、雨水貯留浸透槽６Ａの延長する方向から所定の角度を傾けて設けられた雨水貯留浸透槽６Ｂ側の固定受口２２４ｂを備えた分岐継手２２４を用いることで、雨水貯留浸透槽６Ｂの延在する方向を変更することができる。
【００２４】
更に、本実施形態の点検部材２２６及び雨水貯留浸透施設２０１によれば、分岐継手２２４の固定受口２２４ｂのうち、雨水貯留浸透槽６に接続されていない固定受口２２４ｂは、下水道に連絡する排水管に接続されているため、オリフィスやオーバーフローを共有化できると共に、雨水貯留浸透槽６の下部に堆積した土砂等を前記排水管に排出することができる。
【００２５】
（第二実施形態）
図２は、本発明の第二実施形態である雨水貯留浸透施設２５０を示す図であって、（ａ）は正面図であり、（ｂ）は平面図である。なお、図２に示す本実施形態の雨水貯留浸透施設２５０の構成要素において、図１に示す第一実施形態の雨水貯留浸透施設２０１の構成要素と同一の構成要素については、同一の符号を付し、その説明を省略する。
【００２６】
図２（ａ）及び（ｂ）に示すように、本実施形態の雨水貯留浸透施設２５０では、流入マス２が第一流入マス１４のみで構成され、第一流入マス１４のフィルタ１７より下方の雨水収容部１８には先端にフィルタ１９が備え付けられた流入管１０の一端が接続されている。流入管１０の他端は、雨水貯留浸透槽６の上面６ａに接続されている。これにより、雨水貯留浸透槽６の上部に貯留した空気が、流入管１０を通して、第一流入マス１４から地上に抜き出される。なお、街渠Ｇと雨水貯留浸透槽６との間に流入管１０が介在し、街渠Ｇと流入管１０との深さ寸法、所謂土かぶりの確保が望まれるため、雨水貯留浸透施設２５０の設置場所においては街渠Ｇと雨水貯留浸透槽６との間の深さ寸法が充分に確保されていることが好ましい。
【００２７】
また、点検部材２２６の縦管２２３は、流入マス２とは平面視で重なっておらず、雨水貯留浸透槽６の延在する方向に並べて配置されている。従って、縦管２２３の上部は流入マス２の内部には設けられていない。
【００２８】
更に、図２（ｂ）に示すように、点検部材２２６の雨水貯留浸透槽６Ｂ側の固定受口２２４ｂは、雨水貯留浸透槽６Ａの延長する方向から所定の角度を傾けた方向に設けられている。
【００２９】
以上説明したように、本実施形態の雨水貯留浸透施設２５０によれば、第一実施形態の雨水貯留浸透施設２０１と同様に、点検部材２２６が縦管２２３と、縦管２２３の下端に接続されると共に複数の固定受口２２４ｂを有する分岐継手２２４と、を備えているため、点検部材２２６及び雨水貯留浸透施設２０１の設置時に予め、一つの点検部材２２６に複数の固定受口２２４ｂを準備することができる。また、固定受口２２４ｂはキャップ２４０により封止可能に設けられているため、固定受口２２４ｂに雨水貯留浸透槽６を接続しようとする際に、キャップ２４０を外して固定受口２２４ｂの封止を解除するのみで、点検部材２２６に穴を開ける等の追加工事や、コンクリートや充填材等により間詰めを行う必要なく、簡易に複数の雨水貯留浸透槽６を連結することができる。更に、一つの点検部材２２６の縦管２２３を複数の雨水貯留浸透槽６で兼用するため、雨水貯留浸透施設２０１の設置スペースの拡大を抑えることができる。
【００３０】
また、本実施形態の雨水貯留浸透施設２５０によれば、流入マス２が第一流入マス１４のみで構成され、流入管１０の他端が雨水貯留浸透槽６の上面６ａに接続されているため、雨水貯留浸透槽６の上部に貯留した空気を流入管１０及び第一流入マス１４を介し、地上に向けて簡易に抜き出すことができる。
【００３１】
更に、雨水貯留浸透槽６Ａの延長する方向から所定の角度を傾けて設けられた雨水貯留浸透槽６Ｂ側の固定受口２２４ｂを備えた分岐継手２２４を用いることで、雨水貯留浸透槽６Ｂの延在する方向を容易に変更することができる。
【００３２】
（第三実施形態）
図３は、本発明の第三実施形態である雨水貯留浸透施設２６０を示す図であって、（ａ）は正面図であり、（ｂ）は平面図である。なお、図３に示す本実施形態の雨水貯留浸透施設２５０の構成要素は、図１に示す第一実施形態の雨水貯留浸透施設２０１の構成要素と同一であるため、これらの同一の構成要素については、同一の符号を付し、第一実施形態の雨水貯留浸透施設２０１と共通する説明については省略する。
【００３３】
図３（ｂ）に示すように、本実施形態の雨水貯留浸透施設２６０では、点検部材２２６を挟んで連結された雨水貯留浸透槽６のうち一方の雨水貯留浸透槽６Ａの延在する方向に対して、雨水貯留浸透槽６Ａ，６Ｂ間の点検部材２２６の横管２２５の軸線、及び、他方の雨水貯留浸透槽６Ｂの延在する方向が平面視で傾斜している。即ち、雨水貯留浸透槽６Ｂは、その延在する方向を雨水貯留浸透槽６Ｂの側面６ｃの自在継手２３０を基端として雨水貯留浸透槽６Ａの延在する方向から所定の角度だけ傾けた状態で設けられている。ここで、所定の角度は約１５°以内とすることが好ましい。これにより、点検の際に自在継手２３０を基端として横管２２５の軸線を曲げることにより点検のやり難さを抑えつつ雨水貯留浸透槽６の延在する方向を曲げられる。また、自在継手２３０にかかる負荷が適度に抑えられる。
【００３４】
以上説明したように、本実施形態の雨水貯留浸透施設２６０によれば、第一実施形態の雨水貯留浸透施設２０１と同様に、点検部材２２６が縦管２２３と、縦管２２３の下端に接続されると共に複数の固定受口２２４ｂを有する分岐継手２２４と、を備えているため、点検部材２２６及び雨水貯留浸透施設２０１の設置時に予め、一つの点検部材２２６に複数の固定受口２２４ｂを準備することができる。また、固定受口２２４ｂはキャップ２４０により封止可能に設けられているため、固定受口２２４ｂに雨水貯留浸透槽６を接続しようとする際に、キャップ２４０を外して固定受口２２４ｂの封止を解除するのみで、点検部材２２６に穴を開ける等の追加工事や、コンクリートや充填材等により間詰めを行う必要なく、簡易に複数の雨水貯留浸透槽６を連結することができる。更に、一つの点検部材２２６の縦管２２３を複数の雨水貯留浸透槽６で兼用するため、雨水貯留浸透施設２０１の設置スペースの拡大を抑えることができる。
【００３５】
また、本実施形態の雨水貯留浸透施設２６０によれば、雨水貯留浸透槽６Ｂは、その延在する方向を雨水貯留浸透槽６Ｂの側面６ｃの自在継手２３０を基端として雨水貯留浸透槽６Ａの延在する方向から所定の角度だけ傾けた状態で設けられているため、平面視において曲り部や、屈曲、折れ曲がった箇所を有する道路際やその街渠Ｇの下方にも雨水貯留浸透施設２６０を容易に設置することができる。
【００３６】
以上、本発明の好ましい実施形態について詳述したが、本発明は係る特定の実施形態に限定されるものではなく、特許請求の範囲内に記載された本発明の要旨の範囲内において、種々の変形・変更が可能である。
【符号の説明】
【００３７】
２０１，２５０，２６０…雨水貯留浸透施設、２…流入マス、６…雨水貯留浸透槽、６ｂ，６ｃ…側面、１０…流入管、２１…下部組付部材（枠部材）、２２…上部組付部材（枠部材）、２２４…分岐継手、２２４ｂ…固定受口（受口）、２２５…横管、２２６…点検部材、２３０…自在継手、Ｇ…街渠
【図１】
2014198952.tif 000003
【図２】
2014198952.tif 000004
【図３】
2014198952.tif 000005